(57)【要約】【課題】何れの方向からも同じように音声を入力することができると共に、スピーカから出力される音声を容易に把握して歌唱することができるようにする。【解決手段】マイクロホン装置１０には、マイク２２と指向性を有するスピーカ２４とが隣接して設けられる。マイクロホン装置１０には、スピーカ２４から音声を出力させる音声信号処理回路と共に、マイク２２により入力される音声によって発生するハウリングを低減するためのハウリング除去回路が設けられる。【選択図】      図１
2008028573.tif 000002
【特許請求の範囲】
【請求項１】
マイクロホンと指向性を有するスピーカとが隣接して設けられた音声入力部と、
前記スピーカから音声を出力させる音声信号処理回路と、
前記マイクにより入力される音声によって発生するハウリングを低減するためのハウリング除去回路と
を具備したことを特徴とするマイクロホン装置。
【請求項２】
前記スピーカから出力される音声の種類を切り替えるための音声切替スイッチをさらに具備し、
前記音声信号処理回路は、
前記音声切替手段による切り替えに応じて、前記スピーカから出力される音声の種類を切り替えることを特徴とする請求項１記載のマイクロホン装置。
【請求項３】
前記音声信号処理回路によって前記スピーカから出力される音声の音声信号をもとに、前記音声のリズムを検出するリズム検出手段と、
振動を発生させるバイブレータと、
前記リズム検出手段によって検出されたリズムに応じて、前記バイブレータを駆動するバイブレータ駆動手段と
を具備したことを特徴とする請求項１記載のマイクロホン装置。
【請求項４】
前記音声入力部に設けられた前記スピーカと前記マイクの向きが異なるように設けたことを特徴とする請求項１記載のマイクロホン装置。
【発明の詳細な説明】
【技術分野】
【０００１】
本発明は、マイクと共にスピーカが設けられたマイクロホン装置に関する。
【背景技術】
【０００２】
家庭内カラオケ装置には、音声を出力させるための装置として、テレビやステレオ装置を利用するものがある。カラオケ装置は、例えばテレビ装置に音声信号と画像（映像）信号を出力することで、テレビ装置のスピーカから音声を出力させ、またディスプレイにおいて画像（映像）を表示させる。こうした、カラオケシステムでは、歌唱者にカラオケ音声が十分に聞こえるような音量で出力する必要がある。しかし、十分な防音設備が設けられていない一般家庭などでは、騒音によって近所へ迷惑をかけないように音量を下げて使用されることが多く、思う存分に歌えなくなってしまう。
【０００３】
ところで従来では、スピーカを目立たなくした状態で、このスピーカからのガイド音声を使用者に聞かせるとともに、スピーカからのガイド音声を使用者の回りの聴衆に聞こえるのを防止できるマイクロホン装置が考えられている（特許文献１参照）。特許文献１に記載されたマイクロホン装置は、音波による音声を音声信号に変換するマイクロフォンが設けられた握り式マイクロフォン装置本体と、ガイド音声の音声信号を入力するガイド音声入力手段と、握り式マイクロフォン装置本体に一体で設けられ、ガイド音声入力手段からのガイド音声の音声信号をガイド音声の音波に変換し、握り式マイクロフォン装置本体を基準にして特定の方向に指向性を有する状態で出力するスピーカとが設けられている。
【特許文献１】特開２００３−８４７８２公報
【発明の開示】
【発明が解決しようとする課題】
【０００４】
特許文献１に記載された従来のマイクロホン装置は、装置本体にマイクロホンとともにスピーカを一体に設けており、スピーカからの音声がマイクロホンに入力するのを防止するための防音板がスピーカとマイクとの間に設けられている。防音板は、音声の回り込みを防ぐために設けられているため、スピーカが設けられた側を歌唱者によって口の方向に向けられると、マイクロホンによって音声が入力されにくくなってしまう。従って、歌唱者は、マイクロホン装置を使用する場合に、マイクロホンが設けられた側を意識的に自分の口の方に向くように使用しなければならない。
【０００５】
また、従来のマイクロホン装置は、防音板によりスピーカから出力された音声がマイクロホンによって入力されにくくしているだけであり、スピーカから出力される音声の音量が大きくなるとハウリングを発生させるおそれがあった。また、ハウリングが発生しないように音量を小さくすると、スピーカから出力される音声が聞き取りにくくなり歌唱が困難になってしまう。
【０００６】
本発明は前述した事情に考慮してなされたもので、その目的は、何れの方向からも同じように音声を入力することができると共に、スピーカから出力される音声を容易に把握して歌唱することが可能なマイクロホン装置を提供することにある。
【課題を解決するための手段】
【０００７】
本発明は、マイクロホンと指向性を有するスピーカとが隣接して設けられた音声入力部と、前記スピーカから音声を出力させる音声信号処理回路と、前記マイクにより入力される音声によって発生するハウリングを低減するためのハウリング除去回路とを具備したことを特徴とする。
【０００８】
また、好ましくは、前記スピーカから出力される音声の種類を切り替えるための音声切替スイッチをさらに具備し、前記音声信号処理回路は、前記音声切替手段による切り替えに応じて、前記スピーカから出力される音声の種類を切り替えることを特徴とする。
【０００９】
また、好ましくは、前記音声信号処理回路によって前記スピーカから出力される音声の音声信号をもとに、前記音声のリズムを検出するリズム検出手段と、振動を発生させるバイブレータと、前記リズム検出手段によって検出されたリズムに応じて、前記バイブレータを駆動するバイブレータ駆動手段とを具備することを特徴とする。
【００１０】
また、好ましくは、前記音声入力部に設けられた前記スピーカと前記マイクの向きが異なるように設けたことを特徴とする。
【発明の効果】
【００１１】
本発明によれば、指向性を有するスピーカを設けることで、スピーカから出力される音声をマイクロホンによって入力されにくくすることができ、またマイクロホンとスピーカとの間に防音板などを介すことなり隣接して設けることで、マイクロホン装置を何れの向きで使用されたとしても何れの方向からも同じように音声を入力することができる。また、ハウリング除去回路が設けられているため、スピーカから出力される音声の音量を大きくしたとしてもハウリングの発生を抑えることができ、音声を聞き取りやすい音量で任意に出力させて歌唱することが可能となる。
【発明を実施するための最良の形態】
【００１２】
以下、図面を参照して本発明の実施の形態について説明する。  
図１は、本実施形態におけるマイクロホン装置１０の外観構成を示す図である。図１に示すマイクロホン装置１０は、音声入出力部１２と把持部１４とが設けられている。把持部１４は、使用時に歌唱者によって保持される部分で、ほぼ円筒状に形成されている。把持部１４の一方の端部に音声入出力部１２が設けられている。
【００１３】
音声入出力部１２には、把持部１４の軸方向と直交する平面部が設けられており、この平面部にマイク２２とスピーカ２４とが隣接して設けられている。音声入出力部１２には、平面部に設けられたマイク２２とスピーカ２４とを覆うための金属メッシュなどにより構成された風防２０が装着されている。
【００１４】
スピーカ２４は、薄型形状に構成されており指向性を有している。マイク２２は、例えば円筒状の部材の先端部に設けられている。
【００１５】
図２（ａ）は、音声入出力部１２の平面部に設けられたマイク２２とスピーカ２４とを平面部と平行な方向から見た側面図である。図２（ａ）に示すように、マイク２２は、円筒状の部材の先端部に設けられているため、マイク２２とスピーカ２４との間に音を遮断するための例えば防音板などを設けることなく、スピーカ２４から出力された音声がマイク２２によって入力されにくくなっている。また、マイク２２が円筒状の部材の先端部に設けられているので、音声入出力部１２の周囲の何れの方向からでも同じように音声を入力することができる。
【００１６】
なお、図１及び図２（ａ）では、音声入出力部１２に設けられた平面部にマイク２２とスピーカ２４を設けているが、例えば図２（ｂ）に示すように、スピーカ２４とマイク２２を設けるそれぞれの面に角度を設けることで、音声入出力部１２に設けられたスピーカ２４とマイク２２の向きを異なるようにすることができる。これにより、指向性を有するスピーカ２４から出力された音声が、よりマイク２２から入力されにくくすることができる。
【００１７】
また、音声入出力部１２には、音量調整つまみ２６が設けられている。音量調整つまみ２６は、スピーカ２４から出力される音量を調整するために使用される。
【００１８】
音声切替スイッチ２８には、音声切替スイッチ２８とバイブレータスイッチ３０が設けられている。音声切替スイッチ２８は、マイクロホン装置１０の電源オン／オフの切り替えと共に、スピーカ２４から出力される音声の種類を切り替えるためのスイッチである。音声切替スイッチ２８は、スライド式のつまみを「ＯＦＦ」「１」「２」「３」の何れかの位置に任意にスライドさせることができる。「ＯＦＦ」の位置につまみがある場合には、マイクロホン装置１０の電源がオフされる。「１」「２」「３」の位置には、それぞれ異なる音声の種類が設定されており、何れの位置につまみがスライドされたかによって、スピーカ２４から出力される音声が切り替えられる。例えば、音声切替スイッチ２８によって切り替えられる音声の種類としては、外部のスピーカ３８（後述する）から出力されるカラオケ音声と同じ音声（「１」の位置に対応）、カラオケ音声のメロディラインとマイク２２から入力された音声をミキシングした音声（「２」の位置に対応）、マイク２２から入力された音声にエコーなどのエフェクトを付加した音声のみ（「３」の位置に対応）があるものとする。なお、その他の種類の音声を出力できるようにして、音声切替スイッチ２８の切り替え操作によって切り替えられるようにしても良い。
【００１９】
バイブレータスイッチ３０は、マイクロホン装置１０の本体部とコード３２を介して接続されたバイブレータユニット３４のオン／オフを切り替えるためのスイッチである。バイブレータユニット３４は、バイブレータスイッチ３０がオンされた場合に、スピーカ２４から出力される音声に応じた振動を発生させるもので、例えばスピーカ２４から出力される音声の音声信号をもとに検出されたリズムに応じて振動するように制御される。バイブレータユニット３４は、例えば歌唱者が把持部１４を握っている手と反対側の手により保持して使用される。
【００２０】
なお、マイクロホン装置１０は、カラオケ装置やＤＶＤ装置等の再生装置３６と間で音声信号を送受信するための無線あるいは有線によって接続するためのインタフェースユニットが設けられている（図示せず）。
【００２１】
次に、マイクロホン装置１０の回路構成について説明する。図３は、マイクロホン装置１０の回路構成を示すブロック図である。
【００２２】
マイクロホン装置１０には、スピーカ２４から音声を出力させる音声信号処理回路が含まれており、図３に示すように、ＡＴＴ４０、マイクアンプ４１、エフェクト処理回路４２、ミキシング回路４４、切替付きミキサー４５、ＡＴＴ４６、ハウリング除去回路４７、アンプ４８、及びバイブレータ制御部５０が設けられている。
【００２３】
ＡＴＴ４０は、マイク２２から入力された音声信号を制限（減衰）して適切な大きさに調整する。マイクアンプ４１は、ＡＴＴ４０を通じて入力される音声信号を増幅してエフェクト処理回路４２及び切替付きミキサー４５に出力する。
【００２４】
エフェクト処理回路４２は、音声信号に対して各種のエフェクトを付加する処理を実行するもので、例えばマイク２２から入力された歌唱者の音声にエコーを施した音声信号を生成して出力する。エフェクト処理回路４２は、エコーの他にも複数種類のエフェクト処理を可能とし、図示せぬ切り替えスイッチの操作に応じて、エフェクト処理を切り替えるようにしても良い。
【００２５】
ミキシング回路４４は、外部の再生装置３６との間の音声信号の送受信、エフェクト処理回路４２から入力された音声信号と再生装置３６から入力された音声信号のミキシング、バイブレータスイッチ３０の切り替え操作に応じてバイブレータ制御部５０への音声信号の出力切り替えなどを実行する。
【００２６】
切替付きミキサー４５は、音声切替スイッチ２８の切り替えに応じて、スピーカ２４から出力される音声の種類を切り替える。例えば、音声切替スイッチ２８が「１」の位置に切り替えられた場合には、ミキシング回路４４を通じて再生装置３６から入力された音声信号のみ、すなわち外部のスピーカ３８（後述する）から出力されるカラオケ音声と同じ音声信号のみを出力する。音声切替スイッチ２８が「２」の位置に切り替えられた場合、ミキシング回路４４を通じて入力されるカラオケ音声のメロディラインの音声信号とマイク２２から入力された音声信号をミキシングして出力する。また、音声切替スイッチ２８が「３」の位置に切り替えられた場合、マイク２２から入力された音声にエフェクト処理回路４２によりエコーなどのエフェクトを付加した音声信号のみを出力する。
【００２７】
ＡＴＴ４６は、切替付きミキサー４５から出力される音声信号を制限（減衰）して適切な大きさに調整する。
【００２８】
ハウリング除去回路４７は、ＡＴＴ４６を通じて入力された音声信号に対して、例えばハウリング（フィードバック）を起こす特定の周波数を減衰させることでハウリングの発生を低減させる。なお、図３に示す構成では、スピーカ２４から出力される音声の音声信号に対して周波数を低減することでハウリングの発生を低減させているが、その他の方法によってハウリングを低減させる構成としても良い。例えば、ハウリングが発生しない音量に制限する、ディレイを用いて音声を僅かに遅らせて出力するなどの方法が可能である。
【００２９】
アンプ４８は、ハウリング除去回路４７を通じて入力された音声信号を、音量調整つまみ２６の設定に応じた音量でスピーカ２４から音声が出力されるように増幅し、スピーカ２４を駆動して音声を出力させる。
【００３０】
バイブレータ制御部５０は、ミキシング回路４４から出力される音声信号をもとに、スピーカ２４から出力され音声に含まれる例えばリズム楽器音部のリズムを検出して、このリズムに応じてバイブレータユニット３４を駆動する。バイブレータ制御部５０には、リズム検出回路５０ａとバイブレータ駆動回路５０ｂとが設けられている。
【００３１】
リズム検出回路５０ａは、例えばリズム楽器音部のリズムを検出するために音声信号をローパスフィルタを通すことによりリズム楽器音部に相当する音声信号を検出する。リズム検出回路５０ａは、ローパスフィルタを通した信号の変化からリズム楽器、例えばドラムやベースなどの低音楽器が発する音のタイミングを検出して、スピーカ２４から出力される音声のリズムを示す信号を生成する。バイブレータ駆動回路５０ｂは、リズム検出回路５０ａによって生成された音声のリズムを示す信号に応じてバイブレータユニット３４を駆動する。
【００３２】
なお、再生装置３６は、マイクロホン装置１０に対して音声信号（メロディラインの音声信号を含む）を出力すると共に、マイクロホン装置１０（マイク２２）から入力された音声（歌唱音）の音声信号を入力し、スピーカ３８からカラオケ音声とミキシングして出力させる。また、カラオケ用コンテンツに含まれる画像（映像）を、カラオケ音声の再生と並行してモニタ装置３９において出力させる。
【００３３】
次に、本実施形態におけるマイクロホン装置１０の動作及び作用効果について説明する。  
マイクロホン装置１０を使用する場合、再生装置３６と無線あるいは有線によって接続される。マイクロホン装置１０は、音声切替スイッチ２８が「ＯＦＦ」の位置から例えば「１」の位置に移動されることで、マイク２２からの音声入力とスピーカ２４からの音声出力が可能となる。音声切替スイッチ２８が「１」の位置にある場合、切替付きミキサー４５は、ミキシング回路４４を通じて入力される音声信号のみをＡＴＴ４６に出力することで、再生装置３６から入力されたカラオケ音声のみをスピーカ２４から出力させる。
【００３４】
マイクロホン装置１０にスピーカ２４を設けることで、歌唱者の近くからカラオケ音声を出力することになるため、大音量としなくてもカラオケ音声を容易に確認することができる。マイクロホン装置１０に設けられたスピーカ２４から出力されるカラオケ音声を歌唱者が確認して歌唱することができるので、再生装置３６の外部に設けられたスピーカ３８から大音量でカラオケ音声を出力する必要がなくなる。
【００３５】
また、図１及び図２に示すように、スピーカ２４が設けられた平面部より突出した円筒状の部材の先端部にマイク２２を設けているので、指向性のあるスピーカ２４から出力される音声がマイク２２に入力されにくくなり、ハウリングの発生を防ぐことができる。特に、図２（ｂ）に示すように、マイク２２とスピーカ２４の向きに角度を設けることで、さらにスピーカ２４から出力された音声がマイク２２に入力されにくくすることができる。また、スピーカ２４から出力された音声がマイク２２に入力されたとしても、ハウリング除去回路４７によってハウリングの発生が抑えられる。
【００３６】
また、ハウリング除去回路４７が設けられているために、マイク２２とスピーカ２４との間にハウリングを防止するための防音板などを設ける必要がなく、またマイク２２を円筒状の部材の先端部に設けているため、マイクロホン装置１０の音声入出力部１２の周囲の何れの方向からでも同じように音声入力が可能となる。このため、把持部１４を保持する際に音声入出力部１２の何れ側を口に向けても良いため、マイクロホン装置１０の扱いを容易にすることができる。
【００３７】
また、音声切替スイッチ２８を切り替えることで、カラオケ音声をスピーカ２４から出力させるだけでなく、例えば歌唱者が必要とする別の種類の音声を出力させることができる。すなわち、音声切替スイッチ２８を「２」の位置に切り替えることで、スピーカ２４からカラオケ音声のメロディラインの音声と共に、マイク２２から入力した（歌唱した）音声を出力させることができる。従って、よく知らない楽曲であってもメロディラインの音声を参考しながら容易に歌唱することができる。また、音声切替スイッチ２８を「３」の位置に切り替えることにより、マイク２２から入力した音声にエコーを付加してスピーカ２４から出力させることができる。従って、スピーカ２４から出力されるエコーがかけられた音声を聞きながら気持ちよく歌唱することができる。
【００３８】
本実施形態のマイクロホン装置１０では、再生装置３６によってスピーカ３８から出力される音声とは関係なく、音声切替スイッチ２８を操作することで歌唱者が所望する種類の音声をスピーカ２４から出力させることができる。また、スピーカ２４から出力される音声は、音量調整つまみ２６を調整することで、歌唱者のみが聞こえるようにすることもできる。
【００３９】
さらに、本実施形態におけるマイクロホン装置１０には、バイブレータユニット３４が設けられている。バイブレータスイッチ３０をオンすることで、スピーカ２４から出力される音声のリズム（低音楽器が発する音のタイミング）に応じてバイブレータユニット３４を振動させることができる。これにより、スピーカ２４から出力される音声だけでは楽曲のリズムが取りにくい場合があったとしても、バイブレータユニット３４を握って振動を感じることで、確実にリズムを把握することができるようになる。
【００４０】
なお、前述した実施形態では、再生装置３６（カラオケ装置、ＤＶＤ装置など）から音声信号を入力する構成としているが、記録媒体（カード型のメモリなど）を脱着可能な構成をさらに設けて、記録媒体に記録された例えばＭＩＤＩ（musical instruction digital interface）データなどによる音声データ（カラオケデータ）を読み出し、音声信号に変換してスピーカ２４から出力する構成としても良い。
【００４１】
この構成の場合、バイブレータ制御部５０は、アナログの音声信号をもとにリズムを検出するのではなく、音声データ（ＭＩＤＩデータ）に含まれるリズム系のデータ、例えばドラムやベースなどのパートのデータをもとにしてリズムを検出することが可能である。
【００４２】
また、図３に示す構成では、マイクロホン装置１０は、再生装置３６からアナログの音声信号を入力するものとして説明しているが、音楽データを入力する構成とすることもできる。マイクロホン装置１０は、入力された音声データに応じて音声信号を生成してスピーカ２４から出力させると共に、音声データをもとに前述のようにしてバイブレータ制御部５０によってバイブレータユニット３４を駆動する。
【００４３】
また、図１及び図３に示す構成では、バイブレータユニット３４をマイクロホン装置１０の筐体外部に設けているが、マイクロホン装置１０の筐体内部に設けた構成としても良い。
【００４４】
また、前述した説明では、スピーカ２４から出力される音声の種類を、音声切替スイッチ２８によって切り替えるものとして説明しているが、音声信号を出力する再生装置３６において切り替えられるようにしても良い。マイクロホン装置１０の切替付きミキサー４５は、ミキシング回路４４を通じて入力される音声信号を、音声切替スイッチ２８の切り替えに応じてミキシングして出力する。
【００４５】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４６】
【図１】本実施形態におけるマイクロホン装置１０の外観構成を示す図。
【図２】音声入出力部１２に設けられたマイク２２とスピーカ２４とを示す側面図。
【図３】本実施形態におけるマイクロホン装置１０の回路構成を示すブロック図。
【符号の説明】
【００４７】
１０…マイクロホン装置、１２…音声入出力部、１４…把持部、２０…風防、２２…マイク、２４…スピーカ、２６…音量調整つまみ、２８…音声切替スイッチ、３０…バイブレータスイッチ、３２…コード、３４…バイブレータユニット、３６…再生装置、３８…スピーカ、３９…モニタ装置、４０，４６…ＡＴＴ、４１…マイクアンプ、４２…エフェクト処理回路、４４…ミキシング回路、４５…切替付きミキサー、４７…ハウリング除去回路、４８…アンプ、５０…バイブレータ制御部、５０ａ…リズム検出回路、５０ｂ…バイブレータ駆動回路。
【図１】
2008028573.tif 000003
【図２】
2008028573.tif 000004
【図３】
2008028573.tif 000005